(57)【要約】【課題】  撮影モードの切り換え忘れによる不適切な光量での被検眼の撮影を防止する。【解決手段】  眼科装置に対して、被検眼を各々異なる様式で撮影する複数の撮影手段と、撮影手段を切り換える撮影モード切り換え手段と、撮影モードに応じた撮影光量を記憶する撮影光量記憶手段と、切り換えの判定基準となる基準光量を設定する基準光量設定手段と、撮影モードと該撮影モードにおいて実行される動作を行う動作タイミングとに応じた切り換えの動作を設定する撮影モード切り換え設定手段と、該動作タイミングにおける所定の動作タイミングで撮影光量が基準光量以上の場合、撮影モード切り換え設定手段に対して、撮影モードを、撮影光量が基準光量未満の際に用いられる撮影手段に切り換えさせる制御手段と、を配する。【選択図】  図３
2014094117.tif 000002
【特許請求の範囲】
【請求項１】
被検眼を各々異なる様式で撮影する複数の撮影手段と、
前記複数の撮影手段を切り換える撮影モード切り換え手段と、
各々の撮影モードに応じた撮影光量を記憶する撮影光量記憶手段と、
前記撮影モードの切り換えの判定基準となる基準光量を設定する基準光量設定手段と、
各々の前記撮影モードと前記撮影モードにおいて実行される動作を行う動作タイミングとに応じた前記撮影モードの切り換えの動作を設定する撮影モード切り換え設定手段と、
前記動作タイミングにおける所定の動作タイミングで前記撮影光量が前記基準光量以上の場合、前記撮影モード切り換え設定手段に対して、前記撮影モードを、前記撮影光量が前記基準光量未満の際に用いられる撮影手段に切り換えさせる制御手段と、を有する眼科撮影装置。
【請求項２】
被検眼を各々異なる様式で撮影する複数の撮影手段と、
前記複数の撮影手段を切り換える撮影モード切り換え手段と、
各々の撮影モードに応じた撮影光量を記憶する撮影光量記憶手段と、
前記撮影モードの切り換えの判定基準となる基準光量を設定する基準光量設定手段と、
各々の前記撮影モードと前記撮影モードにおいて実行される動作を行う動作タイミングとに応じた前記撮影モードの切り換えの動作を設定する撮影モード切り換え設定手段と、
前記動作タイミングにおける所定の動作タイミングで前記撮影光量が前記基準光量以上の場合、前記撮影モード切り換え設定手段に対して、前記撮影光量が前記基準光量未満の前記撮影モードへの切り換えメッセージを表示させる制御手段と、を有する眼科撮影装置。
【請求項３】
前記動作タイミングは、前記被検眼の撮影の終了のタイミングであることを特徴とする請求項１又は２に記載の眼科撮影装置。
【請求項４】
所定時間の間に前記撮影手段の操作がない場合、または、所定操作により省電力モードへの遷移を選択した場合に、前記撮影モードを省電力モードに遷移させ、所定操作により前記省電力モードから前記撮影モードに復帰する省電力モード管理手段を更に有し、
前記動作タイミングは、前記省電力モードからの前記撮影モードへの復帰時のタイミングであることを特徴とする請求項１又は２に記載の眼科撮影装置。
【請求項５】
所定時間の間に前記撮影手段の操作がない場合、または、所定操作により省電力モードへの遷移を選択した場合に、前記撮影モードを省電力モードに遷移させ、所定操作により前記省電力モードから前記撮影モードに復帰する省電力モード管理手段を更に有し、
前記動作タイミングは、所定時間の間に前記撮影手段の操作がない時、または、所定操作により前記省電力モードへの遷移を選択した時であることを特徴とする請求項１に記載の眼科撮影装置。
【請求項６】
所定時間の間に前記撮影手段の操作がない場合、または、所定操作により省電力モードへの遷移を選択した場合に、前記撮影モードを省電力モードに遷移させ、所定操作により前記省電力モードから前記撮影モードに復帰する省電力モード管理手段を更に有し、
前記動作タイミングは、所定操作により前記省電力モードへの遷移を選択したタイミングであることを特徴とする請求項２に記載の眼科撮影装置。
【請求項７】
左右眼切り換え検知手段を更に有し、前記動作タイミングは、前記被検眼における左右眼の切り換え時であることを特徴とする請求項１又は２に記載の眼科撮影装置。
【請求項８】
前記制御手段は、前記被検眼の撮影後に前記撮影が成功したか否かを判定し、
前記動作タイミングは、前記撮影が失敗であると判定されたタイミングであることを特徴とする請求項１又は２に記載の眼科撮影装置。
【請求項９】
前記制御手段は、切り換え先に指定された前記撮影モードの前記撮影光量を前記基準光量以上に変更することを禁止することを特徴とする請求項１に記載の眼科撮影装置。
【請求項１０】
前記制御手段は、切り換え先に指定された前記撮影モードの前記撮影光量を前記基準光量以上に変更する時に、警告メッセージを表示することを特徴とする請求項１に記載の眼科撮影装置。
【請求項１１】
前記制御手段は、切り換え先に指定された前記撮影モードの前記撮影光量が前記基準光量以上の場合、前記撮影モードを切り換えないことを特徴とする請求項１に記載の眼科撮影装置。
【請求項１２】
前記制御手段は、前記基準光量未満の前記撮影モードの前記撮影光量を前記基準光量以上に変更することを禁止することを特徴とする請求項２に記載の眼科撮影装置。
【請求項１３】
前記制御手段は、前記基準光量未満の前記撮影モードの前記撮影光量を前記基準光量以上に変更する時に、警告メッセージを表示することを特徴とする請求項２に記載の眼科撮影装置。
【請求項１４】
前記制御手段は、前記基準光量未満の前記撮影モードがない場合、前記撮影モード切り換えメッセージを表示しないことを特徴とする請求項２に記載の眼科撮影装置。
【請求項１５】
前記制御手段は、前記基準光量未満の前記撮影モードが１つのみの場合、前記基準光量未満の前記撮影モードの前記撮影光量を前記基準光量以上に変更することを禁止することを特徴とする請求項１２に記載の眼科撮影装置。
【請求項１６】
前記制御手段は、前記基準光量未満の前記撮影モードが１つのみの場合、前記基準光量未満の前記撮影モードの前記撮影光量を前記基準光量以上に変更する時に、警告メッセージを表示することを特徴とする請求項１３に記載の眼科撮影装置。
【請求項１７】
前記被検眼の撮影を含む検査の開始、終了を管理する検査管理手段と、前記被検眼に対する散瞳剤の点眼の有無を入力する散瞳情報入力手段を更に有し、
前記制御手段は、前記被検眼が散瞳していると入力した後は、前記撮影光量が前記基準光量以上の撮影モードから前記撮影光量が前記基準光量未満の撮影モードに切り換える制御を行わないことを特徴とする請求項１に記載の眼科撮影装置。
【請求項１８】
前記被検眼の撮影を含む検査の開始、終了を管理する検査管理手段と、前記被検眼に対する散瞳剤の点眼の有無を入力する散瞳情報入力手段を更に有し、
前記制御手段は、前記被検眼が散瞳していると入力した後は、前記撮影光量が前記基準光量以上の撮影モードから前記撮影光量が前記基準光量未満の撮影モードへの切り換えメッセージを表示しないことを特徴とする請求項２に記載の眼科撮影装置。
【請求項１９】
前記被検眼が散瞳していると入力した場合、前記動作タイミングは前記検査の終了のタイミングであることを特徴とする請求項１７又は１８に記載の眼科撮影装置。
【発明の詳細な説明】
【技術分野】
【０００１】
本発明は、眼科撮影装置に関するものである。
【背景技術】
【０００２】
被検眼に散瞳剤を点眼しないで眼底撮影を行う無散瞳撮影と、被検眼に散瞳剤を点眼して眼底撮影を行う散瞳撮影が知られている。無散瞳撮影では、暗所において、被検眼を自然散瞳した状態で眼底撮影を行う。観察時における被検眼の縮瞳を防止するため、赤外光での観察が一般的である。一方、散瞳撮影では、散瞳剤により被検眼を強制的に散瞳した状態で眼底撮影を行う。可視光を照射しても縮瞳が起こらないため、可視光での観察が一般的であるが、被検眼の負担を軽くするため、赤外光で観察を行うこともある。
【０００３】
特許文献１では、無散瞳撮影と散瞳撮影の両方が可能な眼底カメラにおいて、可視光観察から赤外光観察への切り換え忘れによる被検眼の縮瞳防止のため、観察光切り換え制御を行っている。
【０００４】
加齢性黄斑変性症では、リポフスチンという物質が眼底網膜の黄斑部に蓄積する。この蓄積物質のリポフスチンは一種の蛍光物質であるので、所定の波長の５７５〜５８５ｎｍの可視光が照射されると、自発蛍光（又は自然蛍光）を発する。この眼底網膜からの自発蛍光の光量を測定し、グレード分けすれば、加齢性黄斑変性症の早期診断が可能であると考えられる。
【０００５】
特許文献２では、赤外光で観察する無散瞳眼底カメラにおいて、カラー撮影と自発蛍光撮影が可能な装置が提案されている。しかし、眼底からの自発蛍光の光量は非常に微弱であり、撮影に大きな光量を必要とする。そのため、特許文献３では、被検眼が縮瞳しないように露出制御を行いながら動画撮影し、複数枚の画像を合成して自発蛍光撮影画像を生成する装置が提案されている。
【先行技術文献】
【特許文献】
【０００６】
【特許文献１】特許第４６６９８９１号
【特許文献２】特開２０１０−２２０６７０号公報
【特許文献３】特開２０１０−２５９５３１号公報
【発明の概要】
【発明が解決しようとする課題】
【０００７】
カラー撮影と自発蛍光撮影が可能な無散瞳眼底カメラにおいて、カラー撮影よりも自発蛍光撮影の方が大きな光量を必要とする。カラー撮影を行う被検眼に対して、誤って自発蛍光撮影を行ってしまうと、被検眼が縮瞳し、撮影可能な状態になるまでに時間がかかり、撮影効率が低下してしまう。
【０００８】
特許文献１では、被検眼の縮瞳防止のために観察光の切り換え制御を行っているが、誤って大きな光量を必要とする撮影モードで撮影してしまうことによる被検眼の縮瞳防止には言及していない。
【０００９】
特許文献２では、赤外光で観察する無散瞳眼底カメラでカラー撮影と自発蛍光撮影を行う構成を提案しているが、誤って大きな光量を必要とする撮影モードで撮影してしまうことによる被検眼の縮瞳防止には言及していない。
【００１０】
特許文献３では、露出制御を行いながら動画撮影し、複数枚の画像を合成して自発蛍光画像を生成するため、被検眼の縮瞳を防止することはできるが、装置構成が複雑になってしまう。
【００１１】
本発明は、上述の問題点を解消し、カラー撮影と自発蛍光撮影が可能な無散瞳眼底カメラにおいて、簡易な構成で、誤って自発蛍光撮影を行うことによる被検眼の縮瞳を防止することを目的とする。
【課題を解決するための手段】
【００１２】
上記目的を達成するため、本発明に係る眼科撮影装置は、被検眼を各々異なる様式で撮影する複数の撮影手段と、前記複数の撮影手段を切り換える撮影モード切り換え手段と、各々の撮影モードに応じた撮影光量を記憶する撮影光量記憶手段と、前記撮影モードの切り換えの判定基準となる基準光量を設定する基準光量設定手段と、各々の前記撮影モードと前記撮影モードにおいて実行される動作を行う動作タイミングとに応じた前記撮影モードの切り換えの動作を設定する撮影モード切り換え設定手段と、前記動作タイミングにおける所定の動作タイミングで前記撮影光量が前記基準光量以上の場合、前記撮影モード切り換え設定手段に対して、前記撮影モードを、前記撮影光量が前記基準光量未満の際に用いられる撮影手段に切り換えさせる制御手段と、を有することを特徴とする。
【００１３】
また、本発明に係る眼科撮影装置は、被検眼を各々異なる様式で撮影する複数の撮影手段と、前記複数の撮影手段を切り換える撮影モード切り換え手段と、各々の撮影モードに応じた撮影光量を記憶する撮影光量記憶手段と、前記撮影モードの切り換えの判定基準となる基準光量を設定する基準光量設定手段と、各々の前記撮影モードと前記撮影モードにおいて実行される動作を行う動作タイミングとに応じた前記撮影モードの切り換えの動作を設定する撮影モード切り換え設定手段と、前記動作タイミングにおける所定の動作タイミングで前記撮影光量が前記基準光量以上の場合、前記撮影モード切り換え設定手段に対して、前記撮影光量が前記基準光量未満の前記撮影モードへの切り換えメッセージを表示させる制御手段と、を有することを特徴とする。
【発明の効果】
【００１４】
本発明によれば、撮影後、省電力モード復帰時など、所定の動作タイミングにおいて、基準光量以上の撮影モードから基準光量未満の撮影モードに切り換えるため、撮影モードの切り換え忘れによる被検眼の縮瞳防止が可能となる。
【００１５】
また、本発明によれば、撮影後、省電力モード復帰時など、所定の動作タイミングにおいて、基準光量以上の撮影モードから基準光量未満の撮影モードへの切り換えメッセージを表示するため、撮影モードの切り換え忘れによる被検眼の縮瞳防止が可能となる。
【図面の簡単な説明】
【００１６】
【図１】実施例１及び２の構成図である。
【図２】実施例１の撮影モード切り換え設定の例である。
【図３】実施例１のフローチャートである。
【図４】実施例２の撮影モード切り換え設定の例である。
【図５】実施例２のフローチャートである。
【図６】撮影モード切り換えメッセージの例である。
【図７】実施例３の構成図である。
【図８】散瞳情報入力画面の例である。
【発明を実施するための形態】
【００１７】
本発明を図示の実施例に基づいて詳細に説明する。
【実施例１】
【００１８】
図１に実施例１に係る眼科撮影装置の構成図を示す。
被検眼をカラー撮影するカラー撮影手段１１、被検眼を自発蛍光撮影する自発蛍光撮影手段１２は、カラー撮影と自発蛍光撮影を切り換える撮影モード切り換え手段１３に接続されている。撮影モード切り換え手段１３は、制御手段１４に接続されている。
【００１９】
被検眼を赤外光で観察する観察手段１５、省電力モード管理手段１６、左右眼切り換え検知手段１７は、制御手段１４に接続されている。省電力モード管理手段１６により、所定時間操作がない場合、または、省電力モード遷移を選択した場合に、省電力モードに遷移し、所定操作により省電力モードから復帰する。
【００２０】
撮影モードごとに撮影光量を記憶する撮影光量記憶手段１８、所定の動作タイミングで、撮影モードを切り換える基準となる撮影光量を設定する基準光量設定手段１９、撮影モード切り換え設定手段２０は、制御手段１４に接続されている。撮影モード切り換え設定手段２０では、例えば図２に示すように、撮影モードと該撮影モードにおける種々の動作を行うタイミングである動作タイミングごとに、撮影モードを自動切り換えするか、何もしないかを設定する。自動切り換えする場合には、切り換え先の撮影モードを設定する。
【００２１】
動作タイミングとして、省電力モード遷移時と設定した時、実施例１では、所定時間操作がない場合と省電力モード遷移を選択した場合の両方とする。動作タイミングとして、省電力モード遷移時、省電力モード復帰時を設定する場合、省電力モード管理手段１６が必要となる。また、動作タイミングとして、左右眼切り換え時を設定する場合、左右眼切り換え検知手段１７が必要となる。動作タイミングとして、撮影後を設定する場合に、撮影失敗時のみとしても良い。この場合、制御手段１４で撮影が成功したか失敗したかの判定を行う。
【００２２】
図３は実施例１のフローチャートを示す。
このフローチャートの処理は、撮影モード切り換え設定手段２０において、撮影モード切り換え設定として、自動切り換えすると設定された撮影モードと動作タイミングで実行される。
【００２３】
ステップＳ１００で、基準光量設定手段１９で設定された基準光量を取得する。
【００２４】
ステップＳ１０１で、撮影光量記憶手段１８に保存されている、現在の撮影モードの撮影光量が、基準光量以上か判定する。基準光量未満の場合は、処理を終了する。基準光量以上の場合は、ステップＳ１０２に遷移する。即ち、該基準光量は、撮影モード切り換えに際しての判定基準として用いられる。
【００２５】
ステップＳ１０２で、撮影モード切り換え設定手段２０において切り換え先の撮影モードとして指定されている撮影モードの撮影光量が、基準光量未満か判定する。基準光量以上の場合は、処理を終了する。基準光量未満の場合は、ステップＳ１０３に遷移する。
【００２６】
ステップＳ１０３で、撮影モード切り換え設定手段２０において切り換え先の撮影モードとして指定されている撮影モードに切り換える。
【００２７】
本実施例では、カラー撮影と自発蛍光撮影に関して説明したが、レッドフリー撮影などその他の撮影モードに対しても同様に構成できる。
【００２８】
撮影モード切り換え設定手段２０において、撮影モード切り換え設定として、自動切り換えすると設定された切り換え先の撮影モードの撮影光量を、基準光量以上に変更できないようにこれを禁止しても良い。または、基準光量以上に変更しようとした時に警告メッセージを表示しても良い。
【００２９】
なお、以上に述べたように、本実施例では撮影モードとしてカラー撮影と自発蛍光撮影を撮影モードとして例示しているが、各々異なる様式にて被検眼を撮影する複数の撮影手段による複数の撮影モードとして本発明を把握することが可能である。この場合撮影モード記切り換え手段１３は、これら複数の撮影手段の切り換えを実行する。また撮影光量は各々の撮影モードに応じた値として、撮影光量記憶手段１８に記憶される。また、撮影モード切り換え設定手段２０は、前述したように、各々の撮影モードと該撮影モードにおいて実行される種々の動作を行う動作タイミングとに応じた撮影モードの切り換えの動作を設定する。
【実施例２】
【００３０】
図１に実施例２の構成図を示す。構成図は、実施例１と同じであるため、実施例１との違いのみ説明する。
【００３１】
撮影モード切り換え設定手段２０では、例えば図４に示すように、撮影モードと動作タイミングごとに、撮影モードの切り換えメッセージを表示するか、何もしないかを設定する。
【００３２】
動作タイミングとして、省電力モード遷移時と設定した時、実施例１では、所定時間操作がない場合と、所定操作により省電力モード遷移を選択した場合の両方としたが、実施例２では、省電力モード遷移を選択した場合のみとする。
【００３３】
図５は実施例２のフローチャートを示す。
このフローチャートの処理は、撮影モード切り換え設定手段２０において、撮影モード切り換え設定として、切り換えメッセージを表示すると設定された撮影モードと動作タイミングで実行される。
【００３４】
ステップＳ２００で、基準光量設定手段１９で設定された基準光量を取得する。
【００３５】
ステップＳ２０１で、撮影光量記憶手段１８に保存されている、現在の撮影モードの撮影光量が、基準光量以上か判定する。基準光量未満の場合は、処理を終了する。基準光量以上の場合は、ステップＳ２０２に遷移する。
【００３６】
ステップＳ２０２で、現在の撮影モード以外に、撮影光量が基準光量未満の撮影モードがあるかを判定する。撮影光量が基準光量未満の撮影モードがない場合は、処理を終了する。撮影光量が基準光量未満の撮影モードがある場合、ステップＳ２０３に遷移する。
【００３７】
ステップＳ２０３で、図６に示すような撮影モード切り換えメッセージを表示する。このメッセージでは、撮影光量が基準光量未満の撮影モードから、切り換え先の撮影モードを選択できる。撮影モード切り換えをしないと選択した場合は、処理を終了する。切り換え先の撮影モードを選択した場合、ステップＳ２０５に遷移する。
【００３８】
ステップＳ２０５では、選択された撮影モードへの切り換えを行う。
【００３９】
本実施例では、カラー撮影と自発蛍光撮影に関して説明したが、レッドフリー撮影などその他の撮影モードに対しても同様に構成できる。
【００４０】
撮影モード切り換え設定手段２０において、撮影モード切り換え設定として、切り換えメッセージを表示するという設定を1つ以上行った場合、その時点で基準光量未満の撮影光量の撮影モードに対しては、撮影光量を基準光量以上に変更できないようにしても良い。または、基準光量以上に変更しようとした時に警告メッセージを表示しても良い。
【００４１】
撮影光量が基準光量未満の撮影モードが1つだけの時、その撮影モードの撮影光量を基準光量以上に変更できないようにしても良い。または、基準光量以上に変更しようとした時に警告メッセージを表示しても良い。
【実施例３】
【００４２】
図７は実施例３の構成図を示す。実施例１、２の構成との違いのみ説明する。
【００４３】
散瞳撮影を含む被検眼の検査の開始、終了を管理する検査管理手段２１、図８に示すような被検眼への散瞳剤の点眼の有無を入力する散瞳情報入力手段２２が、制御手段１４に接続されている。
【００４４】
撮影モード切り換え設定手段２０では、動作タイミングとして、検査終了時を設定する。
【００４５】
実施例３では、実施例１、２で説明した、図３、図５のフローチャートの処理を開始する条件に、散瞳情報入力手段２２で、被検眼への散瞳剤の点眼ありと入力されていない時という条件を追加する。
被検眼への散瞳剤の点眼なしと入力されている時、または、散瞳情報が未入力の場合は、図３、図５のフローチャートの処理をそのまま行う。
【００４６】
被検眼への散瞳剤の点眼ありと入力されている場合は、図３、図５のフローチャートの処理を行わない。この場合、検査管理手段２１で検査終了を検知すると、撮影モード切り換え設定手段２０で、検査終了時の動作タイミングに対して設定している処理を行う。検査終了時の撮影モード切り換え設定として、自動切り換えするが設定されている場合は、図３のフローチャートの処理を行う。検査終了時の撮影モード切り換え設定として、切り換えメッセージを表示すると設定されている場合、図５のフローチャートの処理を行う。
【００４７】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４８】
１１  カラー撮影手段
１２  自発蛍光撮影手段
１３  撮影モード切り換え手段
１４  制御手段
１５  観察手段
１６  省電力モード管理手段
１７  左右眼切り換え検知手段
１８  撮影光量記憶手段
１９  基準光量設定手段
２０  撮影モード切り換え設定手段
２１  検査管理手段
２２  散瞳情報入力手段
【図１】
2014094117.tif 000003
【図２】
2014094117.tif 000004
【図３】
2014094117.tif 000005
【図４】
2014094117.tif 000006
【図５】
2014094117.tif 000007
【図６】
2014094117.tif 000008
【図７】
2014094117.tif 000009
【図８】
2014094117.tif 000010